(57)【要約】【課題】  伝送される複数の異なる波長の映像光信号の送信状態を監視することなく、対応する映像光信号をそれぞれ複数の映像表示機器側に伝送することができる映像信号伝送システムおよび多波長電光変換器を提供する。【解決手段】  映像信号伝送システムは、入力した映像電気信号を映像電気信号が伝送される映像表示機器９１〜９３の選択情報に基づいて複数の異なる波長の映像光信号に変換し得る１つまたは複数の多波長電光変換器３１〜３３を有する映像源側通信装置１と、映像源側通信装置に一端が接続され複数の異なる波長の映像光信号を伝送する光伝送路６と、光伝送路の経路に設けられ複数の異なる波長の映像光信号をそれぞれ分波して選択情報に対応する映像表示機器９１〜９３側へ出力する複数の光分波器５１〜５３とを備える。【選択図】図１
2010166353.tif 000002
【特許請求の範囲】
【請求項１】
入力した映像電気信号を前記映像電気信号が伝送される映像表示機器の選択情報に基づいて複数の異なる波長の映像光信号に変換し得る１つまたは複数の多波長電光変換器を有する映像源側通信装置と、
前記映像源側通信装置に一端が接続され前記複数の異なる波長の映像光信号を伝送する光伝送路と、
前記光伝送路の経路に設けられ前記複数の異なる波長の映像光信号をそれぞれ分波して前記選択情報に対応する映像表示機器側へ出力する複数の光分波器と
を備えた映像信号伝送システム。
【請求項２】
前記１つの多波長電光変換器が、前記入力した映像電気信号を複数の異なる波長の映像光信号に変換して出力する請求項１記載の映像信号伝送システム。
【請求項３】
前記複数の多波長電光変換器が、前記入力した映像電気信号を前記多波長電光変換器ごとにそれぞれ異なる波長の映像光信号に変換して出力する請求項１記載の映像信号伝送システム。
【請求項４】
前記多波長電光変換器が、前記入力した映像電気信号を複数に分配する信号分配部と、前記分配された映像電気信号を前記映像表示機器の選択情報に基づいてそれぞれ異なる波長の映像光信号に変換し得る複数の電光変換部とを備えた請求項１〜３のいずれかに記載の映像信号伝送システム。
【請求項５】
前記映像源側通信装置が、前記映像電気信号の１つのフレームと次のフレームの間のブランキング期間を検出するブランキング期間検出部を備え、前記ブランキング期間中に前記多波長電光変換器の選択波長の切り替えを行う請求項１〜４のいずれかに記載の映像信号伝送システム。
【請求項６】
前記光分波器に代えて光合分波器を備え、前記映像源側通信装置が、前記映像表示機器側から送信される制御信号を前記光合分波器および前記光伝送路の他端を介して受信する制御信号受信器を備えた請求項１〜５のいずれかに記載の映像信号伝送システム。
【請求項７】
入力した映像電気信号を複数に分配する信号分配部と、前記分配された映像電気信号を前記映像電気信号が伝送される映像表示機器の選択情報に基づいてそれぞれ異なる波長の映像光信号に変換し得る複数の電光変換部とを備えた多波長電光変換器。
【請求項８】
前記複数の電光変換部の出力側に前記異なる波長の映像光信号を多重化する波長多重器を備えた請求項７記載の多波長電光変換器。
【発明の詳細な説明】
【技術分野】
【０００１】
本発明は、映像信号伝送システムおよび多波長電光変換器に関するものである。
【背景技術】
【０００２】
映像信号伝送システムは、映像源（ビデオソース）機器からの映像信号を映像（ビデオ）表示機器へ伝送するものであるが、例えば次のようなものが提案されている。ＴＶチューナー、ＤＶＣプレーヤー、Ｓ−ＶＨＳビデオ、ＰＣ、カメラなどの映像源機器が映像マトリクススイッチャーに接続され、映像マトリクススイッチャーで映像源と出力チャネル（ｃｈ）の組み合わせが設定される。映像マトリクススイッチャーの出力のうち２ｃｈは２つの映像分配器にそれぞれ接続される。２つの映像分配器からの信号はそれぞれ２つの出力に分配され、光リンクを経て合計４つの大型ディスプレイに接続される。残る１ｃｈは光リンクを経て直接大型ディスプレイに接続される。この方法では映像マトリクススイッチャーを介して映像が分配される。
【０００３】
特許文献１には、光ファイバによって音声、映像、その他の情報を多数の受信装置に送るための放送システムが記載されている。このシステムは、例えば、複数の放送局から送られてきた情報を放送局毎に割り当てられた互いに異なる波長の光信号に変換し、多重化して送出する波長多重伝送装置と、波長多重伝送装置から送出された光信号を伝送する光ファイバ伝送路と、光ファイバ伝送路上で伝送される波長多重された光信号から任意の波長の光信号を選択する波長選択手段と、選択された光信号から情報を復号する復号化手段とを有する加入者側装置と、加入者側装置と前記複数の放送局との間で情報交換を行うための加入者情報回線とを備える。
【０００４】
特許文献２には、複数の異なる波長の光信号を用いた波長多重による光データ交換装置が記載されている。この装置は、伝送データの伝送先を選択する伝送先選択回路、この伝送先選択回路によって選択された伝送データを伝送先毎に一時的に格納する複数のバッファ、これらバッファに格納されたデータを波長の異なる光信号にそれぞれ変換する複数の電光変換回路、および伝送データの状態に応じて前記電光変換回路による光出力を制御する送信制御回路を備える複数の光送信器と、これら光送信器から出力される異なる波長の光信号を１本の光ファイバに入力させる波長混合器と、この波長混合器により１本の光ファイバに入力された異なる波長の光信号を選択して波長別に異なる光ファイバに出力する波長選択器と、この波長選択器により選択された波長の異なる光信号を電気信号に変換する光電変換回路を備える複数の光受信器とを有する。
【先行技術文献】
【特許文献】
【０００５】
【特許文献１】特開２００２−１６５２１３号公報
【特許文献２】特開平１０−２５７０２９号公報
【発明の概要】
【発明が解決しようとする課題】
【０００６】
本発明の目的は、伝送される複数の異なる波長の映像光信号の送信状態を監視することなく、対応する映像光信号をそれぞれ複数の映像表示機器側に伝送することができる映像信号伝送システムおよび多波長電光変換器を提供することにある。
【課題を解決するための手段】
【０００７】
本発明は、上記目的を達成するために、以下の映像信号伝送システムおよび多波長電光変換器を提供する。
（１）入力した映像電気信号を前記映像電気信号が伝送される映像表示機器の選択情報に基づいて複数の異なる波長の映像光信号に変換し得る１つまたは複数の多波長電光変換器を有する映像源側通信装置と、
前記映像源側通信装置に一端が接続され前記複数の異なる波長の映像光信号を伝送する光伝送路と、
前記光伝送路の経路に設けられ前記複数の異なる波長の映像光信号をそれぞれ分波して前記選択情報に対応する映像表示機器側へ出力する複数の光分波器と
を備えた映像信号伝送システム。
（２）前記１つの多波長電光変換器が、前記入力した映像電気信号を複数の異なる波長の映像光信号に変換して出力する上記（１）記載の映像信号伝送システム。
（３）前記複数の多波長電光変換器が、前記入力した映像電気信号を前記多波長電光変換器ごとにそれぞれ異なる波長の映像光信号に変換して出力する上記（１）記載の映像信号伝送システム。
（４）前記多波長電光変換器が、前記入力した映像電気信号を複数に分配する信号分配部と、前記分配された映像電気信号を前記映像表示機器の選択情報に基づいてそれぞれ異なる波長の映像光信号に変換し得る複数の電光変換部とを備えた上記（１）〜（３）のいずれかに記載の映像信号伝送システム。
（５）前記映像源側通信装置が、前記映像電気信号の１つのフレームと次のフレームの間のブランキング期間を検出するブランキング期間検出部を備え、前記ブランキング期間中に前記多波長電光変換器の選択波長の切り替えを行う上記（１）〜（４）のいずれかに記載の映像信号伝送システム。
（６）前記光分波器に代えて光合分波器を備え、前記映像源側通信装置が、前記映像表示機器側から送信される制御信号を前記光合分波器および前記光伝送路の他端を介して受信する制御信号受信器を備えた上記（１）〜（５）のいずれかに記載の映像信号伝送システム。
（７）入力した映像電気信号を複数に分配する信号分配部と、前記分配された映像電気信号を前記映像電気信号が伝送される映像表示機器の選択情報に基づいてそれぞれ異なる波長の映像光信号に変換し得る複数の電光変換部とを備えた多波長電光変換器。
（８）前記複数の電光変換部の出力側に前記異なる波長の映像光信号を多重化する波長多重器を備えた上記（７）記載の多波長電光変換器。
【発明の効果】
【０００８】
請求項１に記載の映像信号伝送システムによれば、伝送される複数の異なる波長の映像光信号の送信状態を監視することなく、対応する映像光信号をそれぞれ複数の映像表示機器側に伝送することができる。
請求項２に記載の映像信号伝送システムによれば、本構成を有しないものに比べ、簡単な構成で同じ映像光信号をそれぞれ複数の映像表示機器側に伝送することができる。
請求項３に記載の映像信号伝送システムによれば、本構成を有しないものに比べ、簡単な構成で異なる映像光信号をそれぞれ複数の映像表示機器側に伝送することができる。
請求項４に記載の映像信号伝送システムによれば、本構成を有しないものに比べ、簡単な構成で同じまたは異なる映像光信号をそれぞれ複数の映像表示機器側に伝送することができる。
請求項５に記載の映像信号伝送システムによれば、多波長電光変換器の選択波長の切り替え時に生ずるおそれのある映像表示への悪影響を防止することができる。
請求項６に記載の映像信号伝送システムによれば、本構成を有しないものに比べ、簡単な構成で複数の映像表示機器側からの信号を受信することができる。
請求項７に記載の多波長電光変換器によれば、伝送される複数の異なる波長の映像光信号の送信状態を監視することなく、対応する波長で映像光信号を出力することができる。
請求項８に記載の多波長電光変換器によれば、複数の電光変換部が複数の異なる波長の映像光信号を出力する場合でも、その出力側の光伝送路を１つにすることができる。
【図面の簡単な説明】
【０００９】
【図１】本発明に係る映像信号伝送システムの一実施例を示す図である。
【図２】本発明で用いることができる光分波器の一例を示す図である。
【図３】本発明で用いることができる多波長電光変換器の一例を示す図である。
【図４】本発明で用いることができる多波長電光変換器の他の例を示す図である。
【図５】多波長電光変換器の光信号波長の組み合わせの例を示す図である。
【図６】本発明に係る映像信号伝送システムの他の実施例を示す図である。
【図７】本発明に係る映像信号伝送システムの他の実施例を示す図である。
【図８】本発明で用いることができる光合分波器の一例を示す図である。
【発明を実施するための形態】
【００１０】
（実施例１）
図１は、本発明に係る映像信号伝送システムの一実施例を示す図である。本システムは、図示のように、入力した映像電気信号を映像電気信号が伝送される映像表示機器９１〜９３の選択情報に基づいて複数の異なる波長λ１、λ２、λ３の映像光信号に変換し得る１つまたは複数の多波長電光変換器３１〜３３を有する映像源側通信装置１と、映像源側通信装置１に一端が接続され複数の異なる波長λ１、λ２、λ３の映像光信号を伝送する光伝送路６と、光伝送路６の経路に設けられ複数の異なる波長λ１、λ２、λ３の映像光信号をそれぞれ分波して選択情報に対応する映像表示機器９１〜９３側へ出力する複数の光分波器５１〜５３とを備える。以下、詳細に説明する。
【００１１】
映像源側通信装置１は、３台の映像源機器１０１〜１０３からの映像電気信号をそれぞれ受けることができる入力チャネル２１、２２、２３と、映像源機器からの映像電気信号を１つまたは複数の異なる波長λ１、λ２、λ３の光信号に変換する多波長電光変換器３１、３２、３３と、多波長電光変換器３１、３２、３３からの光を１本の導光路に合波する合波器４と、合波された映像光信号を、光伝送路６へ出力する出力チャネル８を備える。光伝送路６としては例えば光ファイバなどが使用できるが、これに限定されない。多波長電光変換器３１、３２、３３の発光波長λ１、λ２、λ３は、外部から与えられる映像表示機器選択情報２に基づいて設定される。ここで、映像電気信号あるいは映像光信号は、映像（静止画若しくは動画）の信号、または映像（静止画若しくは動画）と音声の信号をさす。
【００１２】
光伝送路６で伝送された波長λ１、λ２、λ３の映像光信号は、光分波器５１で波長λ１の映像光信号だけ選択的に表示機器側装置７１へ送るように取り出し、それ以外の波長λ２、λ３の映像光信号は光伝送路６に透過伝送させる。表示機器側装置７１では、映像光信号を映像電気信号に変換して、映像表示機器９１へ信号を出力する。同様に、光分波器５２で波長λ２の映像光信号だけ選択的に表示機器側装置７２へ送るように取り出し、それ以外の波長λ３の映像光信号は光伝送路６に透過伝送させる。表示機器側装置７２では、映像光信号を映像電気信号に変換して、映像表示機器９２へ信号を出力する。同様に、光分波器５３で波長λ３の映像光信号だけ選択的に表示機器側装置７２へ送るように取り出し、それ以外の映像光信号は光伝送路６に透過伝送させる。表示機器側装置７３では、映像光信号を映像電気信号に変換して、映像表示機器９３へ信号を出力する。図２は、本発明で用いることができる光分波器の一例を示す図である。図２において、光分波器５１は、波長λ１の光信号を反射し、それ以外の波長の光信号を透過する反射透過フィルタ６１を備える。光分波器５２，５３も波長λ２、λ３の光信号をそれぞれ反射し、それ以外の波長の光信号を透過するように、光分波器５１と同様に構成することができる。光分波器はこれに限定されず、他のものを用いることもできる。
【００１３】
本実施例では、多波長電光変換器３１から映像表示機器９１へ波長λ１の映像光信号が出力され、多波長電光変換器３２から映像表示機器９３へ波長λ３の映像光信号が出力され、多波長電光変換器３３から映像表示機器９２へ波長λ２の映像光信号が出力されるよう制御される。外部から与えられる各映像表示機器の選択情報２に基づいて、多波長電光変換器３１、３２、３３の出力波長が設定される。映像表示機器の選択情報２は、手動で設定可能であってもよく、また外部装置からの制御信号で制御されるようにしてもよいが、多波長電光変換器３１、３２、３３のうちの２つ以上から同じ波長の映像光信号を出力することがないように制御される。
【００１４】
図３は、本発明で用いることができる多波長電光変換器の一例を示す図である。図３では多波長電光変換器３１の構成を説明するが、他の多波長電光変換器３２、３３も同様な構成とすることができる。多波長電光変換器３１は、図３に示すように、入力された映像電気信号を３つに分配して次段の光電変換部１６１、１６２、１６３に送出する信号分配部１５と、映像電気信号を波長λ１の映像光信号に変換する光電変換部１６１、映像電気信号を波長λ２の映像光信号に変換する光電変換部１６２、ならびに映像電気信号を波長λ３の映像光信号に変換する光電変換部１６３とを有する。図３の場合、多波長電光変換器３１では、映像表示機器の選択情報２に基づいて、光電変換部１６１が選択され、波長λ１の映像光信号を出力し、他の光電変換部１６２、１６３は選択されておらず、波長λ２、λ３の映像光信号は出力されない。同様にして、多波長電光変換器３２、３３では、上記映像表示機器の選択情報２に基づいて波長λ２またはλ３の映像光信号を出力することができる。
【００１５】
これにより、例えば多波長電光変換器３１で波長λ１の映像光信号を、多波長電光変換器３２で波長λ３の映像光信号を、多波長電光変換器３３で波長λ２の映像光信号をそれぞれ送信するように制御することにより、映像源機器１０１からの信号は映像表示機器９１へ、映像源機器１０２からの信号は映像表示機器９３へ、映像源機器１０３からの信号は映像表示機器９２へ伝送される。ここで、多波長電光変換器３１、３２、３３の選択波長を適宜切り替えることによって、映像源機器１０１〜１０３から映像表示機器９１〜９３へ送る信号を適宜切り替えることができ、光伝送の機能とともにスイッチャーの機能が実現できる。
【００１６】
図４は、本発明で用いることができる多波長電光変換器の他の例を示す図である。図４では多波長電光変換器３１の構成を説明するが、他の多波長電光変換器３２、３３も同様な構成とすることができる。本例では、多波長電光変換器３１の内部に波長λ１、λ２、λ３の光信号を合波する波長多重器１６が設けられている。この場合、例えば多波長電光変換器３１から同じ映像信号を波長λ１、λ２およびλ３の光信号で送信するように制御することにより、映像源機器１０１からの映像信号が、映像表示機器９１、９２および９３へそれぞれ分配される。また別の例として、多波長電光変換器３１から同じ映像光信号を波長λ１およびλ２の映像光信号で送信し、多波長電光変換器３３からはそれとは異なる波長λ３の映像光信号を送信するように制御することにより、映像源機器１０１からの映像信号が映像表示機器９１および９２分配され、映像源機器１０３からの映像信号が映像表示機器９３に伝送される。これら以外の組み合わせも可能である。
【００１７】
図５は、多波長電光変換器の光信号波長の組み合わせの例を示す図である。図中の○印は、多波長電光変換器３１、３２、３３において、映像表示機器の選択情報２に基づいて出力される光信号がある場合を示す。上述の図１は、図５における設定番号１１の例を示しており、また図４は、図５における設定番号１の例を示している。選択可能な組合せは図５に示す組み合わせに限るものではない。本実施例の場合は、９Ｃ３＝８４通りの設定が可能である。
【００１８】
なお、映像源機器の数に対応する映像源側通信装置１の入力チャネル数と、表示機器側装置の数は異なっていても良い。その場合多波長電光変換器は、表示機器側装置の数と同じ数の複数波長での送信ができるように構成される。
【００１９】
以上のように構成し、多波長電光変換器から送信される映像光信号の波長を適宜制御することによって、１つのシステムで、長距離伝送ならびに分配ならびにスイッチの３つの機能を実現することができる。映像電気信号は、多波長電光変換器３１、３２、３３でパラレル−シリアル変換を施し、表示機器側装置７１、７２、７３でシリアル−パラレル変換をしてもよい。
【００２０】
（実施例２）
図６は、本発明に係る映像信号伝送システムの他の実施例を示す図である。本実施例では、図示のように、映像源側通信装置１は、ブランキング期間検出部１７を備えるが、その他の構成は図１の実施例と同様である。ブランキング期間検出部１７は、入力チャネル２１、２２、２３に入力される映像源機器１０１〜１０３からのいずれかの映像電気信号の１つのフレームと次のフレームの間のブランキング期間を検出し、その検出信号は図中の点線の経路で各多波長電光変換器３１、３２、３３に入力される。映像源側通信装置１において、映像表示機器の選択の切り替え、すなわち多波長電光変換器３１、３２、３３の選択波長の切り替えが、ブランキング期間中に行われるように制御される。いずれの映像電気信号のブランキング期間に切り替えるかは、例えば外部から設定可能とすることができる。
【００２１】
（実施例３）
図７は、本発明に係る映像信号伝送システムの他の実施例を示す図である。本実施例では、図示のように、図１の光分波器に代えて光合分波器１３１〜１３３を備え、映像源側通信装置１は、映像表示機器側から送信される波長λ１、λ２、λ３の制御光信号を光合分波器１３１〜１３３、光伝送路６の他端および入力チャネル１４を介して受信する制御信号受信器１１を備える。本実施例では、映像源側通信装置１は、２台の映像源機器１０１，１０２からの映像電気信号をそれぞれ受けることができる入力チャネル２１、２２と、映像源機器からの映像電気信号を波長λ１およびλ２の映像光信号に変換する多波長電光変換器３１と、波長λ３の映像光信号に変換する多波長電光変換器３２と、多波長電光変換器３１、３２からの光を１本の導光路に合波する合波器４と、合波された映像光信号をリング型の光伝送路６へ出力する出力チャネル８と、表示機器側装置１２１、１２２および１２３から送信される表示機器制御信号を受信する入力チャネル１４と、制御信号受信部１１とを備える。
【００２２】
光伝送路６に設けられた光合分波器１３１は、映像源側通信装置１から送出された映像光信号のうち波長λ１の光だけを選択して取り出して表示機器側装置１２１に伝送するとともに、表示機器側装置１２１から送出される波長λ１の制御光信号を光伝送路６へ送り出す。同様に、光合分波器１３２は、映像源側通信装置１から送出された映像光信号のうち波長λ２の光だけを選択して取り出して表示機器側装置１２２に伝送するとともに、表示機器側装置１２２から送出される波長λ２の制御光信号を光伝送路６へ送り出し、また光合分波器１３３は、映像源側通信装置１から送出された映像光信号のうち波長λ３の光だけを選択して取り出して表示機器側装置１２３に伝送するとともに、表示機器側装置１２３から送出される波長λ３の制御光信号を光伝送路６へ送り出す。
【００２３】
ここで、表示機器側装置１２１は、光合分波器１３１から取り出された波長λ１の映像光信号を電気信号に変換して、映像表示機器９１へ出力するとともに、映像表示機器９１からの制御電気信号を波長λ１の制御光信号に変換して、光合分波器１３１へ出力する。表示機器側装置１２２は、光合分波器１３２から取り出された波長λ２の映像光信号を電気信号に変換して、映像表示機器９２へ出力するとともに、映像表示機器９２からの制御電気信号を波長λ２の制御光信号に変換して、光合分波器１３２へ出力する。表示機器側装置１２３は、光合分波器１３３から取り出された波長λ３の映像光信号を電気信号に変換して、映像表示機器９３へ出力するとともに、映像表示機器９３からの制御電気信号を波長λ３の制御光信号に変換して、光合分波器１３３へ出力する。図８は、本発明で用いることができる光合分波器の一例を示す図である。図８において、光合分波器１３１は、波長λ１の光信号を反射し、それ以外の波長の光信号を透過する反射透過フィルタ６１および６２を備える。光合分波器５２，５３も波長λ２またはλ３の光信号をそれぞれ反射し、それ以外の波長の光信号を透過するように、光合分波器１３１と同様に構成することができる。光合分波器はこれに限定されず、他のものを用いることもできる。
【００２４】
制御信号受信部１１は、受信した波長λ１〜λ３の制御光信号を光電変換し、出力チャネル１８、１９を介して対応する映像源機器１０１，１０２に出力する。映像表示機器からの制御光信号は、映像表示機器に固有の波長によって伝送されるので、制御信号受信部１１に波長弁別手段を備えることによって、どの映像表示機器からの信号であるかを区別することができる。本実施例では、映像表示機器からの制御信号を、リング型の光伝送路６を通じて、映像源機器に伝送することができるので、映像源機器において映像表示機器からの情報を知ることができる。
【産業上の利用可能性】
【００２５】
本発明は、映像源機器からの映像信号を映像表示機器へ伝送する映像信号伝送システムおよび多波長電光変換器に関するものであり、産業上の利用可能性がある。
【符号の説明】
【００２６】
１  映像源側通信装置
２  映像表示機器の選択情報
２１、２２、２３  入力チャネル
３１、３２、３３  多波長電光変換器
４  合波器
５１、５２、５３  光分波器
６  光伝送路
７１、７２、７３  表示機器側装置
８  出力チャネル
９１、９２、９３  映像表示機器
１０１、１０２、１０３  映像源機器
【図１】
2010166353.tif 000003
【図２】
2010166353.tif 000004
【図３】
2010166353.tif 000005
【図４】
2010166353.tif 000006
【図５】
2010166353.tif 000007
【図６】
2010166353.tif 000008
【図７】
2010166353.tif 000009
【図８】
2010166353.tif 000010